(57)【要約】      （修正有）【課題】無線基地局が、自身をプライマリセルとして無線通信端末に対してデュアルコネクティビティを提供する場合に、セカンダリセルとして適切な移動中継装置を選択可能にする技術を提供する。【解決手段】通信システムにおいて制御装置は、無線基地局のセルに在圏して無線基地局と無線通信端末との通信を中継する移動可能な移動中継装置に、無線基地局との無線通信の通信品質に関する品質情報を報告させるための命令信号を送信する命令信号送信部と、命令信号送信部によって複数の移動中継装置に対して送信された命令信号に応じて複数の移動中継装置が送信した報告情報に基づいて、複数の移動中継装置から、無線基地局に対するセカンダリセルを選択する選択部とを備える。【選択図】図１
2020198597.tif 000002
【特許請求の範囲】
【請求項１】
無線基地局のセルに在圏して前記無線基地局と無線通信端末との通信を中継する移動可能な移動中継装置に、前記無線基地局との無線通信の通信品質に関する品質情報を報告させるための命令信号を送信する命令信号送信部と、
前記命令信号送信部によって複数の前記移動中継装置に対して送信された前記命令信号に応じて前記複数の移動中継装置が送信した報告情報に基づいて、前記複数の移動中継装置から、前記無線基地局に対するセカンダリセルを選択する選択部と
を備える制御装置。
【請求項２】
前記選択部は、前記無線基地局がプライマリセルとして前記無線通信端末に対してデュアルコネクティビティを提供する場合の前記無線基地局に対するセカンダリセルを、前記複数の移動中継装置から選択する、請求項１に記載の制御装置。
【請求項３】
前記命令信号送信部は、前記無線基地局のセルに在圏する前記無線通信端末によって送信された、前記無線通信端末が受信する電波の状況を報告する測定報告に測定結果が含まれる前記複数の移動中継装置に対して、前記命令信号を送信する、請求項１又は２に記載の制御装置。
【請求項４】
前記選択部は、前記複数の移動中継装置のうち、前記無線基地局との無線通信の通信品質が他の移動中継装置よりも高い移動中継装置を前記セカンダリセルとして選択する、請求項１から３のいずれか一項に記載の制御装置。
【請求項５】
前記品質情報は、前記無線基地局からの電波の受信強度に関する情報を含み、
前記選択部は、前記複数の移動中継装置のうち、前記無線基地局からの電波受信強度が他の移動中継装置よりも強い移動中継装置を前記セカンダリセルとして選択する、請求項４に記載の制御装置。
【請求項６】
前記選択部は、前記複数の移動中継装置のうちの前記無線基地局との無線通信の通信品質が所定の品質よりも高い移動中継装置のうち、前記無線通信端末との無線通信の通信品質がより高い移動中継装置を前記セカンダリセルとして選択する、請求項１から３のいずれか一項に記載の制御装置。
【請求項７】
前記品質情報は、前記無線基地局からの電波の受信強度に関する情報を含み、
前記選択部は、前記複数の移動中継装置のうちの前記無線基地局からの電波受信強度が所定の強度よりも強い移動中継装置のうち、前記無線通信端末による移動中継装置からの電波受信強度がより強い移動中継装置を前記セカンダリセルとして選択する、請求項６に記載の制御装置。
【請求項８】
前記選択部は、前記複数の移動中継装置のうちの前記無線基地局との無線通信の通信品質が所定の品質よりも高い移動中継装置のうち、移動速度が他の移動中継装置よりも遅い移動中継装置を前記セカンダリセルとして選択する、請求項１から３のいずれか一項に記載の制御装置。
【請求項９】
前記品質情報は、前記無線基地局からの電波の受信強度に関する情報を含み、
前記選択部は、前記複数の移動中継装置のうちの前記無線基地局からの電波受信強度が所定の強度よりも強い移動中継装置のうち、移動速度が他の移動中継装置よりも遅い移動中継装置を前記セカンダリセルとして選択する、請求項８に記載の制御装置。
【請求項１０】
前記無線基地局と無線通信が可能な領域は、前記移動中継装置と通信可能な領域よりも大きい、請求項１から９のいずれか一項に記載の制御装置。
【請求項１１】
前記移動中継装置が前記無線通信端末との無線通信に用いる無線周波数帯域は、前記無線基地局が前記無線通信端末との無線通信に用いる無線周波数帯域よりも高い周波数帯域である、請求項１から１０のいずれか一項に記載の制御装置。
【請求項１２】
前記移動中継装置が前記無線通信端末との無線通信に用いる無線周波数帯域は、前記無線基地局が前記無線通信端末との無線通信に用いる無線周波数帯域よりも低い周波数帯域である、請求項１から１０のいずれか一項に記載の制御装置。
【請求項１３】
前記無線基地局が、前記選択部によって前記セカンダリセルとして選択された前記移動中継装置を、前記無線基地局がプライマリセルとして前記無線通信端末に対してデュアルコネクティビティを提供する場合の前記無線基地局に対するセカンダリセルとして登録するよう制御する制御部
を備える、請求項１から１２のいずれか一項に記載の制御装置。
【請求項１４】
前記移動中継装置は、車両である、請求項１から１３のいずれか一項に記載の制御装置。
【請求項１５】
前記制御装置は、前記無線基地局である、請求項１から１３のいずれか一項に記載の制御装置。
【請求項１６】
コンピュータを、請求項１から１５のいずれか一項に記載の制御装置として機能させるためのプログラム。
【請求項１７】
コンピュータにより実行される制御方法であって、
無線基地局のセルに在圏して前記無線基地局と無線通信端末との通信を中継する移動可能な移動中継装置に、前記無線基地局との無線通信の通信品質に関する品質情報を報告させるための命令信号を送信する命令信号送信段階と、
前記命令信号送信段階において複数の前記移動中継装置に対して送信された前記命令信号に応じて前記複数の移動中継装置が送信した報告情報に基づいて、前記複数の移動中継装置から、前記無線基地局に対するセカンダリセルを選択する選択段階と
を備える制御方法。
【発明の詳細な説明】
【技術分野】
【０００１】
本発明は、制御装置、プログラム、及び制御方法に関する。
【背景技術】
【０００２】
基地局として機能する移動可能な移動中継装置が知られていた（例えば、特許文献１参照）。
［先行技術文献］
［特許文献］
［特許文献１］特開２０１１−０２９９８８号公報
【発明の開示】
【発明が解決しようとする課題】
【０００３】
無線基地局が、自身をプライマリセルとして無線通信端末に対してデュアルコネクティビティを提供する場合に、セカンダリセルとして適切な移動中継装置を選択可能にする技術を提供することが望ましい。
【課題を解決するための手段】
【０００４】
本発明の第１の態様によれば、制御装置が提供される。制御装置は、無線基地局のセルに在圏して無線基地局と無線通信端末との通信を中継する移動可能な移動中継装置に、無線基地局との無線通信の通信品質に関する品質情報を報告させるための命令信号を送信する命令信号送信部を備えてよい。制御装置は、命令信号送信部によって複数の移動中継装置に対して送信された命令信号に応じて複数の移動中継装置が送信した報告情報に基づいて、複数の移動中継装置から、無線基地局に対するセカンダリセルを選択する選択部を備えてよい。
【０００５】
上記選択部は、上記無線基地局がプライマリセルとして上記無線通信端末に対してデュアルコネクティビティを提供する場合の上記無線基地局に対するセカンダリセルを、上記複数の移動中継装置から選択してよい。上記命令信号送信部は、上記無線基地局のセルに在圏する上記無線通信端末によって送信された、上記無線通信端末が受信する電波の状況を報告する測定報告に測定結果が含まれる上記複数の移動中継装置に対して、上記命令信号を送信してよい。
【０００６】
上記選択部は、上記複数の移動中継装置のうち、上記無線基地局との無線通信の通信品質が他の移動中継装置よりも高い移動中継装置を上記セカンダリセルとして選択してよい。上記品質情報は、上記無線基地局からの電波の受信強度に関する情報を含んでよく、上記選択部は、上記複数の移動中継装置のうち、上記無線基地局からの電波受信強度が他の移動中継装置よりも強い移動中継装置を上記セカンダリセルとして選択してよい。
【０００７】
上記選択部は、上記複数の移動中継装置のうちの上記無線基地局との無線通信の通信品質が所定の品質よりも高い移動中継装置のうち、上記無線通信端末との無線通信の通信品質がより高い移動中継装置を上記セカンダリセルとして選択してよい。上記品質情報は、上記無線基地局からの電波の受信強度に関する情報を含んでよく、上記選択部は、上記複数の移動中継装置のうちの上記無線基地局からの電波受信強度が所定の強度よりも強い移動中継装置のうち、上記無線通信端末による移動中継装置からの電波受信強度がより強い移動中継装置を上記セカンダリセルとして選択してよい。
【０００８】
上記選択部は、上記複数の移動中継装置のうちの上記無線基地局との無線通信の通信品質が所定の品質よりも高い移動中継装置のうち、移動速度が他の移動中継装置よりも遅い移動中継装置を上記セカンダリセルとして選択してよい。上記品質情報は、上記無線基地局からの電波の受信強度に関する情報を含んでよく、上記選択部は、上記複数の移動中継装置のうちの上記無線基地局からの電波受信強度が所定の強度よりも強い移動中継装置のうち、移動速度が他の移動中継装置よりも遅い移動中継装置を上記セカンダリセルとして選択してよい。
【０００９】
上記無線基地局と無線通信が可能な領域は、上記移動中継装置と通信可能な領域よりも大きくてよい。上記移動中継装置が上記無線通信端末との無線通信に用いる無線周波数帯域は、上記無線基地局が上記無線通信端末との無線通信に用いる無線周波数帯域よりも高い周波数帯域であってよい。上記移動中継装置が上記無線通信端末との無線通信に用いる無線周波数帯域は、上記無線基地局が上記無線通信端末との無線通信に用いる無線周波数帯域よりも低い周波数帯域であってよい。
【００１０】
上記制御装置は、上記無線基地局が、上記選択部によって上記セカンダリセルとして選択された上記移動中継装置を、上記無線基地局がプライマリセルとして上記無線通信端末に対してデュアルコネクティビティを提供する場合の上記無線基地局に対するセカンダリセルとして登録するよう制御する制御部を備えてよい。上記移動中継装置は、車両であってよい。上記制御装置は、上記無線基地局であってよい。
【００１１】
本発明の第２の態様によれば、コンピュータを、上記制御装置として機能させるためのプログラムが提供される。
【００１２】
本発明の第３の態様によれば、コンピュータにより実行される制御方法が提供される。制御方法は、無線基地局のセルに在圏して無線基地局と無線通信端末との通信を中継する移動可能な移動中継装置に、無線基地局との無線通信の通信品質に関する品質情報を報告させるための命令信号を送信する命令信号送信段階を備えてよい。制御方法は、命令信号送信段階において複数の移動中継装置に対して送信された命令信号に応じて複数の移動中継装置が送信した報告情報に基づいて、複数の移動中継装置から、無線基地局に対するセカンダリセルを選択する選択段階を備えてよい。
【００１３】
なお、上記の発明の概要は、本発明の必要な特徴の全てを列挙したものではない。また、これらの特徴群のサブコンビネーションもまた、発明となりうる。
【図面の簡単な説明】
【００１４】
【図１】通信システム１０の一例を概略的に示す。
【図２】図１に示す状況における通信システム１０による処理の流れの一例を概略的に示す。
【図３】無線基地局１００によって無線通信端末３００に対して提供されるデュアルコネクティビティについて説明するための説明図である。
【図４】無線基地局１００の機能構成の一例を概略的に示す。
【図５】無線基地局１００による処理の流れの一例を概略的に示す。
【図６】無線基地局１００による選択処理について説明するための説明図である。
【図７】ＥＰＣ４００の機能構成の一例を概略的に示す。
【図８】無線基地局１００、ＥＰＣ４００又はＭＭＥ４０２として機能するコンピュータ１２００のハードウェア構成の一例を概略的に示す。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、通信システム１０の一例を概略的に示す。通信システム１０は、無線基地局１００を含んでよい。通信システム１０は、車両２００を含んでよい。通信システム１０は、無線通信端末３００を含んでもよい。
【００１７】
車両２００は、無線基地局１００のセル１０２に在圏して、無線基地局１００と無線通信端末３００との通信を中継する中継機能を有する。セル１０２は、無線基地局１００と無線通信が可能な領域を示す。車両２００が無線基地局１００のセル１０２に在圏するとは、車両２００が無線基地局１００のセル１０２内に位置して無線基地局１００と無線通信接続を確立することであってよい。なお、車両２００が無線基地局１００のセル１０２に在圏することを、車両２００が無線基地局１００に在圏すると記載する場合がある。車両２００は、移動中継装置の一例であってよい。
【００１８】
車両２００は、自動車であってよい。車両２００は、無線通信機能を有していれば、どのような種類の自動車であってもよい。車両２００は、例えば、ガソリン車であってよく、また、いわゆるエコカーであってもよい。エコカーの種類としては、ＨＶ（Ｈｙｂｒｉｄ  Ｖｅｈｉｃｌｅ）、ＰＨＥＶ／ＰＨＶ（Ｐｌｕｇ−ｉｎ  Ｈｙｂｒｉｄ  Ｖｅｈｉｃｌｅ）、ＥＶ（Ｅｌｅｃｔｒｉｃ  Ｖｅｈｉｃｌｅ）、及びＦＣＶ（Ｆｕｅｌ  Ｃｅｌｌ  Ｖｅｈｉｃｌｅ）等が挙げられる。車両２００は、どのような用途の自動車であってもよい。車両２００は、例えば、自家用車であってよく、また、タクシー及びバス等の事業用の車両であってもよい。
【００１９】
無線基地局１００は、任意の移動体通信方式に準拠していてよい。無線基地局１００は、例えば、３Ｇ（３ｒｄ  Ｇｅｎｅｒａｔｉｏｎ）通信方式に準拠する。無線基地局１００は、例えば、ＬＴＥ（Ｌｏｎｇ  Ｔｅｒｍ  Ｅｖｏｌｕｔｉｏｎ）通信方式に準拠する。無線基地局１００は、ｅＮＢ（ｅＮｏｄｅＢ）であってよい。また、無線基地局１００は、例えば、５Ｇ（５ｔｈ  Ｇｅｎｅｒａｔｉｏｎ）通信方式に準拠する。無線基地局１００は、ｇＮＢ（ｇＮｏｄｅＢ）であってよい。無線基地局１００は、６Ｇ（６ｔｈ  Ｇｅｎｅｒａｔｉｏｎ）通信方式以降の移動体通信方式に準拠してもよい。ここでは、無線基地局１００がＬＴＥ通信方式に準拠している場合を主に例に挙げて説明する。
【００２０】
無線基地局１００は、ネットワーク２０に接続されている。ネットワーク２０は、移動体通信ネットワークを含む。ネットワーク２０は、インターネットを含んでもよい。
【００２１】
無線通信端末３００は、無線通信機能を有していればどのような通信端末であってもよい。無線通信端末３００は、例えば、スマートフォン等の携帯電話、タブレット端末、ウェアラブル端末、及びＰＣ（Ｐｅｒｓｏｎａｌ  Ｃｏｍｐｕｔｅｒ）等である。また、無線通信端末３００は、いわゆるＩｏＴ（Ｉｎｔｅｒｎｅｔ  ｏｆ  Ｔｈｉｎｇ）機器であってもよい。
【００２２】
車両２００は、例えば、セル２０２を生成して、セル２０２に在圏している無線通信端末３００との間で無線通信を実行する。セル２０２は、車両２００と無線通信が可能な領域を示す。セル２０２は、セル１０２より小さくてよい。無線通信端末３００が車両２００のセル２０２に在圏しているとは、無線通信端末３００がセル２０２内に位置して車両２００と無線通信接続を確立していることであってよい。なお、無線通信端末３００が車両２００のセル２０２に在圏していることを、無線通信端末３００が車両２００に在圏していると記載する場合がある。
【００２３】
車両２００と無線通信端末３００との無線通信の通信方式は、移動体通信方式であってよい。車両２００は、移動基地局と呼ばれる場合がある。車両２００と無線通信端末３００との間の移動体通信方式は、車両２００と無線基地局１００との間の移動体通信方式と同一であってよい。また、車両２００と無線通信端末３００との間の移動体通信方式は、車両２００と無線基地局１００との間の移動体通信方式と異なってもよい。
【００２４】
車両２００が無線通信端末３００との無線通信に用いる無線周波数帯域は、無線基地局１００が無線通信端末３００との無線通信に用いる無線周波数帯域よりも高い周波数帯域であってよい。例えば、車両２００が５Ｇ通信方式に従って無線通信端末３００と無線通信し、無線基地局１００がＬＴＥ通信方式に従って無線通信端末３００と無線通信し得る。
【００２５】
車両２００が無線通信端末３００との無線通信に用いる無線周波数帯域は、無線基地局１００が無線通信端末３００との無線通信に用いる無線周波数帯域よりも低い周波数帯域であってもよい。例えば、車両２００がＬＴＥ通信方式に従って無線通信端末３００と無線通信し、無線基地局１００が５Ｇ通信方式に従って無線通信端末３００と無線通信し得る。
【００２６】
本実施形態において、無線基地局１００は、車両２００と連携して無線通信端末３００に無線通信サービスを提供可能である。無線基地局１００は、例えば、車両２００と連携して、無線通信端末３００に対してデュアルコネクティビティ（ＤＣと記載する場合がある。）を提供する。無線基地局１００はプライマリセルとして機能し、車両２００はセカンダリセルとして機能し得る。
【００２７】
無線基地局１００及び車両２００がＬＴＥ通信方式に準拠している場合、無線基地局１００がＭｅＮＢ（Ｍａｓｔｅｒ  ｅＮＢ）と呼ばれ、車両２００がＳｅＮＢ（Ｓｅｃｏｎｄａｒｙ  ｅＮＢ）と呼ばれる場合がある。無線基地局１００及び車両２００が５Ｇ通信方式に準拠している場合、無線基地局１００がＭｇＮＢ（Ｍａｓｔｅｒ  ｇＮＢ）と呼ばれ、車両２００がＳｇＮＢ（Ｓｅｃｏｎｄａｒｙ  ｇＮＢ）と呼ばれる場合がある。無線基地局１００がＬＴＥ通信方式に準拠しており、車両２００が５Ｇ通信方式に準拠している場合、無線基地局１００がＭｅＮＢと呼ばれ、車両２００がＳｇＮＢと呼ばれる場合がある。無線基地局１００が５Ｇ通信方式に準拠しており、車両２００がＬＴＥ通信方式に準拠している場合、無線基地局１００がＭｇＮＢと呼ばれ、車両２００がＳｅＮＢと呼ばれる場合がある。
【００２８】
本実施形態に係る無線基地局１００は、無線通信端末３００の周辺に複数の車両２００が位置する場合に、複数の車両２００から、無線通信端末３００に対してＤＣを提供する場合のセカンダリセルとして適切な車両２００を選択する機能を有する。無線基地局１００は、例えば、無線基地局１００に在圏している無線通信端末３００から、無線通信端末３００が受信する電波の状況を報告する測定報告（Ｍｅａｓｕｒｅｍｅｎｔ  Ｒｅｐｏｒｔと呼ばれる場合がある。）を受信し、測定報告に測定結果が含まれる複数の車両２００に対して、無線基地局１００との無線通信の通信品質に関する品質情報を報告させるための命令信号を送信する。品質情報は、例えば、無線基地局１００からの電波の受信強度に関する情報を含む。
【００２９】
無線基地局１００は、送信した命令信号に応じて複数の車両２００が送信した報告情報を受信して、複数の報告情報に基づいて、複数の車両２００からセカンダリセルを選択する。無線基地局１００は、無線基地局１００との無線通信の通信品質が他の車両２００よりも高い車両２００をセカンダリセルとして選択し得る。無線基地局１００は、例えば、無線基地局１００からの電波受信強度が最も高い車両２００をセカンダリセルとして選択する。
【００３０】
従来のＤＣの考え方では、プライマリセルもセカンダリセルも固定基地局であることを前提としており、プライマリセルとセカンダリセルとは予め組み合わせが決定されていた。それに対して、本実施形態に例示するように、セカンダリセルとして、プライマリセルである無線基地局１００に在圏している車両２００を用いる場合、無線基地局１００と車両２００との無線通信の通信品質は、車両２００の移動に伴って適宜変化し得る。
【００３１】
例えば、無線通信端末３００による車両２００からの電波受信強度が最も強い車両２００をセカンダリセルとして選択した場合であって、当該車両２００による無線基地局１００からの電波受信強度が弱い場合、無線通信端末３００と車両２００との間の通信速度は高速になり得るが、車両２００と無線基地局１００との通信速度が低速になってしまう。これにより、無線通信端末３００によるデータ通信の速度は低速になってしまい、無線通信端末３００のユーザの体感品質が低下してしまう。特に、既存の無線通信端末３００では、車両２００からの電波受信強度は表示されるが、車両２００による無線基地局１００からの電波受信強度は表示されないので、表示されている電波受信強度は強いのにデータ通信速度が遅い状況となり、無線通信端末３００のユーザの体感品質はより低いものとなってしまい得る。それに対して、本実施形態に係る無線基地局１００によれば、無線基地局１００からの電波受信強度が他の車両２００よりも高い車両２００がセカンダリセルとして選択されるので、このような事態の発生を抑制することができる。
【００３２】
図１では、無線通信端末３００の周辺に位置する複数の車両２００の例として、車両２００、車両２１０、及び車両２２０を図示している。図２は、図１に示す状況における通信システム１０による処理の流れの一例を概略的に示す。ここでは、無線通信端末３００、車両２００、車両２１０、及び車両２２０のそれぞれが無線基地局１００に在圏している状態を開始状態として説明する。
【００３３】
ステップ（ステップをＳと省略して記載する場合がある。）１０２では、無線通信端末３００が、無線通信端末３００が受信する電波の状況を報告する測定報告を無線基地局１００に送信する。当該測定報告には、車両２００からの電波受信強度、車両２１０からの電波受信強度、及び車両２２０からの電波受信強度が含まれる。
【００３４】
Ｓ１０４では、無線基地局１００が、車両２００に対して、無線基地局１００との無線通信の通信品質に関する品質情報を報告させるための命令信号を送信する。Ｓ１０６では、無線基地局１００が、車両２１０に対して、無線基地局１００との無線通信の通信品質に関する品質情報を報告させるための命令信号を送信する。Ｓ１０８では、無線基地局１００が、車両２２０に対して、無線基地局１００との無線通信の通信品質に関する品質情報を報告させるための命令信号を送信する。
【００３５】
Ｓ１１０では、車両２００が、Ｓ１０４において受信した命令信号に応じて、無線基地局１００との無線通信の通信品質に関する品質情報を含む報告情報を無線基地局１００に送信する。Ｓ１１２では、車両２１０が、Ｓ１０６において受信した命令信号に応じて、無線基地局１００との無線通信の通信品質に関する品質情報を含む報告情報を無線基地局１００に送信する。Ｓ１１４では、車両２２０が、Ｓ１０８において受信した命令信号に応じて、無線基地局１００との無線通信の通信品質に関する品質情報を含む報告情報を無線基地局１００に送信する。
【００３６】
Ｓ１１６では、無線基地局１００が、Ｓ１１０、Ｓ１１２、及びＳ１１４において受信した報告情報に基づいて、車両２００、車両２１０、及び車両２２０からセカンダリセル（Ｓｃｅｌｌと記載する場合がある。）を選択する。無線基地局１００は、例えば、無線基地局１００からの電波受信強度が最も強い車両をＳｃｅｌｌとして選択する。本例では、無線基地局１００は、車両２００をＳｃｅｌｌとして選択する。
【００３７】
Ｓ１１８では、無線基地局１００が車両２００に対して、ＤＣの設定要求を車両２００に送信する。無線基地局１００は、例えば、ＳｅＮＢ  Ａｄｄｉｔｉｏｎ  Ｒｅｑｕｅｓｔを車両２００に送信する。
【００３８】
Ｓ１２０では、車両２００が、Ｓ１１８において受信した設定要求に対する応答信号を無線基地局１００に送信する。応答信号は、車両２００のセル２０２の無線パラメータ情報を含んでよい。車両２００は、例えば、セル２０２の無線パラメータ情報を含むＳｅＮＢ  Ａｄｄｉｔｉｏｎ  Ｒｅｑｕｅｓｔ  Ａｃｋｎｏｗｌｅｄｇｅｍｅｎｔを無線基地局１００に送信する。
【００３９】
Ｓ１２２では、無線基地局１００が、Ｓ１２０において応答信号を受信したことに応じて、無線通信端末３００に対して無線リソースの設定信号を送信する。無線基地局１００は、例えば、応答信号に含まれる無線パラメータ情報を用いて生成したＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｃｏｎｆｉｇｕｒｅｔｉｏｎを無線通信端末３００に送信する。
【００４０】
Ｓ１２４では、無線通信端末３００が、Ｓ１２２において受信した設定信号に対応する完了通知を無線基地局１００に送信する。無線通信端末３００は、例えば、ＲＲＣ  Ｃｏｎｎｅｃｔｉｏｎ  Ｒｅｃｏｎｆｉｇｕｒａｔｉｏｎ  Ｃｏｍｐｌｅｔｅを無線基地局１００に対して送信する。
【００４１】
Ｓ１２６では、無線基地局１００が、Ｓ１２４において完了通知を受信したことに応じて、車両２００に対して完了通知を送信する。無線基地局１００は、例えば、ＳｅＮＢ  Ｒｅｃｏｎｆｉｇｕｒａｔｉｏｎ  Ｃｏｍｐｌｅｔｅを送信する。
【００４２】
Ｓ１２８では、無線通信端末３００と車両２００との間で同期確立手順が実行され、無線通信端末３００と車両２００との接続が確立する。Ｓ１２８以降、無線基地局１００は、例えば、ＬＴＥの場合はＥＰＣ、５Ｇの場合には５ＧＣから受信する無線通信端末３００に対する下りユーザデータを車両２００に分配することによって、無線通信端末３００に対してＤＣを提供する。
【００４３】
図３は、無線基地局１００によって無線通信端末３００に対して提供されるＤＣについて説明するための説明図である。ここでは、無線基地局１００が、車両２００をセカンダリセルとして選択した場合を例に挙げて説明する。
【００４４】
図３に示す例において、無線基地局１００は、Ｓ１−Ｃインタフェースを介してＥＰＣ４００内のＭＭＥ４０２と接続され、Ｓ１−Ｕインタフェースを介してＥＰＣ４００内のＳＧＷ４０４と接続される。Ｃプレーンについて、ＲＲＣの確立はＭＭＥ４０２と無線基地局１００との間のみで行われ、車両２００の制御は、無線基地局１００を介して行われる。無線基地局１００と車両２００とはＸ２−Ｃインタフェースを介して接続されてよい。
【００４５】
Ｕプレーンについて、無線基地局１００は、Ｓ１−Ｕインタフェースを介してＳＧＷ４０４から受信する無線通信端末３００に対するデータを車両２００に分配する。無線基地局１００と車両２００とはＸ２−Ｕインタフェースを介して接続されてよい。車両２００は、無線基地局１００から分配されたデータを無線通信端末３００に送信する。
【００４６】
なお、図３に示す構成は例示であり、他の構成が採用されてもよい。例えば、それぞれの間の接続に用いられるインタフェースは、上述したインタフェースに限らず、他のインタフェースを採用し得る。また、例えば、車両２００とＳＧＷ４０４とが別経路で通信可能である場合、無線通信端末３００に対するデータが、無線基地局１００を介さずに、ＳＧＷ４０４から車両２００に送信されてもよい。
【００４７】
図４は、無線基地局１００の機能構成の一例を概略的に示す。無線基地局１００は、測定報告受信部１１２、命令信号送信部１１４、報告情報受信部１１６、選択部１１８、ＤＣ制御部１２０、及び移動速度取得部１２２を備える。なお、無線基地局１００がこれらのすべての構成を備えることは必須とは限らない。
【００４８】
測定報告受信部１１２は、無線通信接続を確立している無線通信端末３００から、無線通信端末３００が受信する電波の状況を報告する測定報告を受信する。当該測定報告は、いわゆるＭｅａｓｕｒｅｍｅｎｔ  Ｒｅｐｏｒｔであってよい。
【００４９】
命令信号送信部１１４は、測定報告受信部１１２が受信した測定報告に測定結果が含まれる１又は複数の車両２００に対して、無線基地局１００との無線通信の通信品質に関する品質情報を報告させるための命令信号を送信する。品質情報は、例えば、無線基地局１００からの電波の受信強度に関する情報を含む。品質情報は、無線基地局１００と車両２００との通信速度に関する情報を含んでもよい。
【００５０】
報告情報受信部１１６は、命令信号送信部１１４によって送信された命令信号に応じて、車両２００が送信した報告情報を受信する。報告情報受信部１１６は、命令信号送信部１１４によって複数の車両２００に対して送信された命令信号に応じて、当該複数の車両２００によって送信された報告情報を受信し得る。
【００５１】
選択部１１８は、無線基地局１００がプライマリセルとして無線通信端末３００に対してＤＣを提供する場合の無線通信端末３００に対するセカンダリセルを選択する。選択部１１８は、測定報告受信部１１２が受信した測定報告に、１つの車両２００の測定結果のみが含まれ、無線通信端末３００による当該車両２００からの電波受信強度が所定の強度よりも強い場合、当該車両２００をセカンダリセルとして選択してよい。
【００５２】
選択部１１８は、測定報告受信部１１２が受信した測定報告に、複数の車両２００の測定結果が含まれる場合、報告情報受信部１１６が受信した複数の報告情報に基づいて、複数の車両２００からセカンダリセルを選択する。
【００５３】
選択部１１８は、例えば、複数の車両２００のうち、無線基地局１００との無線通信の通信品質が他の車両２００よりも高い車両２００をセカンダリセルとして選択する。具体例として、選択部１１８は、複数の車両２００のうち、無線基地局１００との無線通信の通信品質が最も高い車両２００をセカンダリセルとして選択する。
【００５４】
品質情報が、無線基地局１００からの電波受信強度に関する情報を含む場合、選択部１１８は、複数の車両２００のうち、無線基地局１００からの電波受信強度が他の車両２００よりも強い車両２００をセカンダリセルとして選択してよい。例えば、選択部１１８は、複数の車両２００のうち、無線基地局１００からの電波受信強度が最も強い車両２００をセカンダリセルとして選択する。
【００５５】
選択部１１８は、測定報告受信部１１２が受信した測定報告と、報告情報受信部１１６が受信した複数の報告情報とに基づいて、複数の車両２００からセカンダリセルを選択してもよい。選択部１１８は、例えば、複数の車両２００のうちの無線基地局１００との無線通信の通信品質が所定の品質よりも高い車両２００のうち、無線通信端末３００との無線通信の通信品質がより高い車両２００をセカンダリセルとして選択する。具体例として、選択部１１８は、複数の車両２００のうちの無線基地局１００との無線通信の通信品質が所定の品質よりも高い車両２００のうち、無線通信端末３００との無線通信の通信品質が最も高い車両２００をセカンダリセルとして選択する。
【００５６】
品質情報が、無線基地局１００からの電波受信強度に関する情報を含む場合、選択部１１８は、複数の車両２００のうちの無線基地局１００からの電波受信強度が所定の強度よりも強い車両２００のうち、無線通信端末３００による車両２００からの電波受信強度がより強い車両２００をセカンダリセルとして選択する。具体例として、選択部１１８は、複数の車両２００のうちの無線基地局１００からの電波受信強度が所定の強度よりも強い車両２００のうち、無線通信端末３００による車両２００からの電波受信強度が最も強い車両２００をセカンダリセルとして選択する。
【００５７】
ＤＣ制御部１２０は、選択部１１８によって選択された車両２００をセカンダリセルとして、無線通信端末３００に対してＤＣを提供するよう制御する。ＤＣ制御部１２０は、選択部１１８によって選択された車両２００をセカンダリセルとして登録する。
【００５８】
ＤＣ制御部１２０は、車両２００に対してＤＣの設定要求を送信する。ＤＣ制御部１２０は、車両２００によって送信された、ＤＣの設定要求に対する応答信号を受信する。応答信号には、車両２００のセル２０２の無線パラメータ情報等が含まれる。ＤＣ制御部１２０は、車両２００から応答信号を受信したことに応じて、無線通信端末３００に対して無線リソースの設定信号を送信する。ＤＣ制御部１２０は、車両２００によって送信された、設定信号に対応する完了通知を受信する。ＤＣ制御部１２０は、完了通知を受信したことに応じて、車両２００に対して完了通知を送信する。完了通知の送信以降、ＤＣ制御部１２０は、ＳＧＷ４０４から受信する無線通信端末３００に対するデータを車両２００に分配する。
【００５９】
移動速度取得部１２２は、無線基地局１００に在圏している車両２００の移動速度を取得する。移動速度取得部１２２は、車両２００から、車両２００の移動速度の情報を受信してよい。例えば、命令信号送信部１１４が、測定報告受信部１１２が受信した測定報告に測定結果が含まれる１又は複数の車両２００に対して移動速度の情報を要求する移動速度要求情報を含む命令信号を送信し、報告情報受信部１１６が、移動速度を含む報告情報を受信する。移動速度取得部１２２は、当該報告情報から移動速度を取得してよい。
【００６０】
選択部１１８は、報告情報受信部１１６が受信した複数の報告情報と、移動速度取得部１２２が取得した複数の移動速度とに基づいて、複数の車両２００からセカンダリセルを選択してもよい。選択部１１８は、例えば、複数の車両２００のうちの無線基地局１００との無線通信の通信品質が所定の品質よりも高い車両２００のうち、移動速度が他の車両２００よりも遅い車両２００をセカンダリセルとして選択する。具体例として、選択部１１８は、複数の車両２００のうちの無線基地局１００との無線通信の通信品質が所定の品質よりも高い車両２００のうち、移動速度が最も遅い車両２００をセカンダリセルとして選択する。これにより、無線基地局１００との無線通信の通信品質が一定以上であり、かつ、移動速度がより速い場合と比較して安定した通信を実現可能な車両２００をセカンダリセルとして選択することができる。
【００６１】
品質情報が、無線基地局１００からの電波受信強度に関する情報を含む場合、選択部１１８は、複数の車両２００のうちの無線基地局１００からの電波受信強度が所定の強度よりも強い車両２００のうち、移動速度が他の車両２００よりも遅い車両２００をセカンダリセルとして選択する。具体例として、選択部１１８は、複数の車両２００のうちの無線基地局１００からの電波受信強度が所定の強度よりも強い車両２００のうち、移動速度が最も遅い車両２００をセカンダリセルとして選択する。
【００６２】
選択部１１８は、測定報告受信部１１２が受信した測定報告と、報告情報受信部１１６が受信した複数の報告情報と、移動速度取得部１２２が取得した複数の移動速度と基づいて、複数の車両２００からセカンダリセルを選択してもよい。選択部１１８は、例えば、複数の車両２００のうちの、無線基地局１００との無線通信の通信品質が所定の品質よりも高く、かつ、無線通信端末３００による車両２００からの電波受信強度が所定の強度よりも強い複数の車両２００のうち、移動速度が他の車両２００よりも遅い車両２００をセカンダリセルとして選択する。具体例として、選択部１１８は、複数の車両２００のうちの、無線基地局１００との無線通信の通信品質が所定の品質よりも高く、かつ、無線通信端末３００による車両２００からの電波受信強度が所定の強度よりも強い複数の車両２００のうち、移動速度が最も遅い車両２００をセカンダリセルとして選択する。
【００６３】
また、選択部１１８は、例えば、複数の車両２００のうちの、無線基地局１００との無線通信の通信品質が所定の品質よりも高く、かつ、移動速度が所定の速度よりも遅い複数の車両２００のうち、無線通信端末３００による車両２００からの電波受信強度が他の車両２００よりも強い車両２００をセカンダリセルとして選択する。具体例として、選択部１１８は、複数の車両２００のうちの、無線基地局１００との無線通信の通信品質が所定の品質よりも高く、かつ、移動速度が所定の速度よりも遅い複数の車両２００のうち、無線通信端末３００による車両２００からの電波受信強度が最も強い車両２００をセカンダリセルとして選択する。
【００６４】
上述の所定の強度は、任意に設定可能であってよく、変更可能であってよい。上述の所定の品質は、任意に設定可能であってよく、変更可能であってよい。上述の所定の速度は、任意に設定可能であってよく、変更可能であってよい。
【００６５】
図５は、無線基地局１００による処理の流れの一例を概略的に示す。ここでは、無線基地局１００に対して無線通信端末３００と複数の車両２００とが在圏している状態を開始状態とし、無線通信端末３００に対するＤＣの提供を開始するまでの処理の流れの一例を説明する。
【００６６】
Ｓ２０２では、測定報告受信部１１２が無線通信端末３００から測定報告を受信する。Ｓ２０４では、測定報告受信部１１２が、測定報告に含まれる１又は複数の電波受信強度のうち少なくともいずれかが所定の強度よりも強いか否かを判定する。強くないと判定した場合、Ｓ２０２に戻り、強いと判定した場合、Ｓ２０６に進む。
【００６７】
Ｓ２０６では、測定報告受信部１１２が、電波受信強度が所定の強度よりも強い車両２００が複数であるか否かを判定する。複数であると判定した場合、Ｓ２０８に進み、複数でないと判定した場合、Ｓ２１２に進む。
【００６８】
Ｓ２０８では、命令信号送信部１１４が、電波受信強度が所定の強度よりも強い複数の車両２００に対して命令信号を送信する。Ｓ２１０では、報告情報受信部１１６が、Ｓ２０８において命令信号送信部１１４が送信した命令信号に応じて複数の車両２００のそれぞれによって送信された報告情報を受信する。
【００６９】
Ｓ２１２では、選択部１１８が、セカンダリセルを選択する。Ｓ２０６において、電波受信強度が所定の強度よりも強い車両２００が複数でないと判定された場合、選択部１１８は、電波受信強度が所定の強度よりも強い一の車両２００をセカンダリセルとして選択する。Ｓ２０６において、電波受信強度が所定の強度よりも強い車両２００が複数であると判定された場合、選択部１１８は、複数の車両２００からセカンダリセルを選択する。
【００７０】
選択部１１８は、Ｓ２１０において受信した報告情報に基づいて、複数の車両２００からセカンダリセルを選択してよい。選択部１１８は、Ｓ２０２において受信した測定報告にさらに基づいて、複数の車両２００からセカンダリセルを選択してもよい。選択部１１８は、Ｓ２１０において受信した報告情報に、車両２００の移動速度が含まれている場合、当該移動速度にさらに基づいて、複数の車両２００からセカンダリセルを選択してもよい。
【００７１】
Ｓ２１４では、ＤＣ制御部１２０が、Ｓ２１２において選択部１１８によって選択された車両２００をセカンダリセルとして登録し、設定処理を行う。Ｓ２１６では、ＤＣ制御部１２０が、Ｓ２１４において設定処理が完了した車両２００とともに、無線通信端末３００に対するＤＣの提供を開始する。
【００７２】
図６は、無線基地局１００による選択処理について説明するための説明図である。強度６０は、車両２００による無線基地局１００からの電波受信強度を示す。強度６１は、車両２１０による無線基地局１００からの電波受信強度を示す。強度６２は、車両２２０による無線基地局１００からの電波受信強度を示す。強度７０は、無線通信端末３００による車両２００からの電波受信強度を示す。強度７１は、無線通信端末３００による車両２１０からの電波受信強度を示す。強度７２は、無線通信端末３００による車両２２０からの電波受信強度を示す。
【００７３】
下記表１は、それぞれの強度の一例を示す。強度６０、強度６１、強度６２について、第１の強度よりも強い場合に「強」、第１の強度と、第１の強度よりも弱い第２の強度との間である場合に「中」、第２の強度よりも弱い場合に「弱」としている。また、強度７０、強度７１、強度７２について、第３の強度よりも強い場合に「強」、第３の強度と、第３の強度よりも弱い第４の強度との間である場合に「中」、第４の強度よりも弱い場合に「弱」としている。選択部１１８は、表１に示す状況である場合、強度６０が強度６１及び強度６２よりも強いので、車両２００をセカンダリセルとして選択し得る。
【００７４】
【表１】
2020198597.tif 000003
【００７５】
下記表２は、それぞれの強度の他の一例を示す。選択部１１８は、表２に示す状況である場合、まず、強度６０及び強度６１が強度６２よりも強いことから、車両２００と車両２１０とを候補とする。そして、選択部１１８は、強度７０から強度７１よりも強いことから、車両２００をセカンダリセルとして選択し得る。
【００７６】
【表２】
2020198597.tif 000004
【００７７】
下記表３は、それぞれの強度の他の一例と、車両２００、車両２１０及び車両２２０の移動速度の例とを示す。選択部１１８は、表３に示す状況である場合、強度６０、強度６１、及び強度６２が同等であり、強度７０、強度７１、及び強度７２が同等であることから、最も移動速度が遅い車両２００をセカンダリセルとして選択し得る。
【００７８】
【表３】
2020198597.tif 000005
【００７９】
上記実施形態では、セカンダリセルの選択処理を無線基地局１００が実行する場合を例に挙げて説明したが、これに限らない。セカンダリセルの選択処理は、コアネットワーク内の他の装置によって実行されてもよい。例えば、無線基地局１００がＬＴＥ通信方式に準拠している場合に、セカンダリセルの選択処理は、ＥＰＣ４００によって実行される。この場合、ＥＰＣ４００は制御装置の一例である。また、例えば、セカンダリセルの選択処理は、ＭＭＥ４０２によって実行される。この場合、ＭＭＥ４０２は、制御装置の一例である。また、例えば、無線基地局１００が５Ｇ通信方式に準拠している場合に、セカンダリセルの選択処理は、５ＧＣによって実行される。この場合、５ＧＣは制御装置の一例である。
【００８０】
図７は、無線基地局１００がＬＴＥ通信方式に準拠している場合のＥＰＣ４００又はＭＭＥ４０２の機能構成の一例を概略的に示す。無線基地局１００が５Ｇの場合は５ＧＣであってもよい。ＥＰＣ４００、ＭＭＥ４０２又は５ＧＣは、測定報告受信部４１２、命令信号送信部４１４、報告情報受信部４１６、選択部４１８、ＤＣ制御部４２０、及び移動速度取得部４２２を備える。なお、これらのすべての構成を備えることは必須とは限らない。ここでは、測定報告受信部１１２、命令信号送信部１１４、報告情報受信部１１６、選択部１１８、ＤＣ制御部１２０、及び移動速度取得部１２２とは異なる点を主に説明する。
【００８１】
測定報告受信部４１２は、無線基地局１００が、無線基地局１００と無線通信接続を確立している無線通信端末３００から受信した測定報告を、無線基地局１００から受信する。命令信号送信部４１４は、測定報告受信部４１２が受信した測定報告に測定結果が含まれる１又は複数の車両２００に対して、無線基地局１００との無線通信の通信品質に関する品質情報を報告させるための命令信号を、無線基地局１００を介して送信する。報告情報受信部１１６は、命令信号送信部１１４によって送信された命令信号に応じて、車両２００が無線基地局１００に対して送信した報告情報を、無線基地局１００から受信する。
【００８２】
選択部４１８は、無線基地局１００がプライマリセルとして無線通信端末３００に対してＤＣを提供する場合の無線通信端末３００に対するセカンダリセルを選択する。選択部４１８によるセカンダリセルの選択方法は、選択部１１８と同様であってよい。
【００８３】
ＤＣ制御部４２０は、選択部４１８によって選択された車両２００を、無線基地局１００がプライマリセルとして無線通信端末３００に対してＤＣを提供する場合の無線基地局１００に対するセカンダリセルとして登録するよう制御する。ＤＣ制御部４２０は、無線基地局１００に、選択部４１８によって選択された車両２００を、無線基地局１００に、セカンダリセルとして登録させる。
【００８４】
移動速度取得部４２２は、無線基地局１００に在圏している車両２００の移動速度を、無線基地局１００から取得する。選択部４１８は、報告情報受信部４１６が受信した複数の報告情報と、移動速度取得部４２２が取得した複数の移動速度とに基づいて、複数の車両２００からセカンダリセルを選択してもよい。選択部４１８は、測定報告受信部４１２が受信した測定報告と、報告情報受信部４１６が受信した複数の報告情報と、移動速度取得部４２２が取得した複数の移動速度と基づいて、複数の車両２００からセカンダリセルを選択してもよい。
【００８５】
図８は、無線基地局１００、ＥＰＣ４００又はＭＭＥ４０２として機能するコンピュータ１２００のハードウェア構成の一例を概略的に示す。コンピュータ１２００にインストールされたプログラムは、コンピュータ１２００を、上記実施形態に係る装置の１又は複数の「部」として機能させ、又はコンピュータ１２００に、上記実施形態に係る装置に関連付けられるオペレーション又は当該１又は複数の「部」を実行させることができ、及び／又はコンピュータ１２００に、上記実施形態に係るプロセス又は当該プロセスの段階を実行させることができる。そのようなプログラムは、コンピュータ１２００に、本明細書に記載のフローチャート及びブロック図のブロックのうちのいくつか又はすべてに関連付けられた特定のオペレーションを実行させるべく、ＣＰＵ１２１２によって実行されてよい。
【００８６】
本実施形態によるコンピュータ１２００は、ＣＰＵ１２１２、ＲＡＭ１２１４、及びグラフィックコントローラ１２１６を含み、それらはホストコントローラ１２１０によって相互に接続されている。コンピュータ１２００はまた、通信インタフェース１２２２、記憶装置１２２４、ＤＶＤドライブ１２２６、及びＩＣカードドライブのような入出力ユニットを含み、それらは入出力コントローラ１２２０を介してホストコントローラ１２１０に接続されている。ＤＶＤドライブ１２２６は、ＤＶＤ−ＲＯＭドライブ及びＤＶＤ−ＲＡＭドライブ等であってよい。記憶装置１２２４は、ハードディスクドライブ及びソリッドステートドライブ等であってよい。コンピュータ１２００はまた、ＲＯＭ１２３０及びタッチパネルのようなレガシの入出力ユニットを含み、それらは入出力チップ１２４０を介して入出力コントローラ１２２０に接続されている。
【００８７】
ＣＰＵ１２１２は、ＲＯＭ１２３０及びＲＡＭ１２１４内に格納されたプログラムに従い動作し、それにより各ユニットを制御する。グラフィックコントローラ１２１６は、ＲＡＭ１２１４内に提供されるフレームバッファ等又はそれ自体の中に、ＣＰＵ１２１２によって生成されるイメージデータを取得し、イメージデータがディスプレイデバイス１２１８上に表示されるようにする。コンピュータ１２００は、ディスプレイデバイス１２１８を備えていなくてもよく、その場合、グラフィックコントローラ１２１６は、イメージデータが外部のディスプレイデバイスに表示されるようにする。
【００８８】
通信インタフェース１２２２は、無線通信ネットワークを介して他の電子デバイスと通信する。記憶装置１２２４は、コンピュータ１２００内のＣＰＵ１２１２によって使用されるプログラム及びデータを格納する。ＤＶＤドライブ１２２６は、プログラム又はデータをＤＶＤ−ＲＯＭ１２２７等から読み取り、記憶装置１２２４に提供する。ＩＣカードドライブは、プログラム及びデータをＩＣカードから読み取り、及び／又はプログラム及びデータをＩＣカードに書き込む。
【００８９】
ＲＯＭ１２３０はその中に、アクティブ化時にコンピュータ１２００によって実行されるブートプログラム等、及び／又はコンピュータ１２００のハードウェアに依存するプログラムを格納する。入出力チップ１２４０はまた、ＵＳＢポート等を介して、様々な入出力ユニットを入出力コントローラ１２２０に接続してよい。
【００９０】
プログラムは、ＤＶＤ−ＲＯＭ１２２７又はＩＣカードのようなコンピュータ可読記憶媒体によって提供される。プログラムは、コンピュータ可読記憶媒体から読み取られ、コンピュータ可読記憶媒体の例でもある記憶装置１２２４、ＲＡＭ１２１４、又はＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置又は方法が、コンピュータ１２００の使用に従い情報のオペレーション又は処理を実現することによって構成されてよい。
【００９１】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、記憶装置１２２４、ＤＶＤ−ＲＯＭ１２２７、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【００９２】
また、ＣＰＵ１２１２は、記憶装置１２２４、ＤＶＤドライブ１２２６（ＤＶＤ−ＲＯＭ１２２７）、ＩＣカード等のような外部記録媒体に格納されたファイル又はデータベースの全部又は必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００９３】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、当該複数のエントリの中から、第１の属性の属性値が指定されている条件に一致するエントリを検索し、当該エントリ内に格納された第２の属性の属性値を読み取り、それにより予め定められた条件を満たす第１の属性に関連付けられた第２の属性の属性値を取得してよい。
【００９４】
上で説明したプログラム又はソフトウェアモジュールは、コンピュータ１２００上又はコンピュータ１２００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、それによりプログラムを、ネットワークを介してコンピュータ１２００に提供する。
【００９５】
上記実施形態におけるフローチャート及びブロック図におけるブロックは、オペレーションが実行されるプロセスの段階又はオペレーションを実行する役割を持つ装置の「部」を表わしてよい。特定の段階及び「部」が、専用回路、コンピュータ可読記憶媒体上に格納されるコンピュータ可読命令と共に供給されるプログラマブル回路、及び／又はコンピュータ可読記憶媒体上に格納されるコンピュータ可読命令と共に供給されるプロセッサによって実装されてよい。専用回路は、デジタル及び／又はアナログハードウェア回路を含んでよく、集積回路（ＩＣ）及び／又はディスクリート回路を含んでよい。プログラマブル回路は、例えば、フィールドプログラマブルゲートアレイ（ＦＰＧＡ）、及びプログラマブルロジックアレイ（ＰＬＡ）等のような、論理積、論理和、排他的論理和、否定論理積、否定論理和、及び他の論理演算、フリップフロップ、レジスタ、並びにメモリエレメントを含む、再構成可能なハードウェア回路を含んでよい。
【００９６】
コンピュータ可読記憶媒体は、適切なデバイスによって実行される命令を格納可能な任意の有形なデバイスを含んでよく、その結果、そこに格納される命令を有するコンピュータ可読記憶媒体は、フローチャート又はブロック図で指定されたオペレーションを実行するための手段を作成すべく実行され得る命令を含む、製品を備えることになる。コンピュータ可読記憶媒体の例としては、電子記憶媒体、磁気記憶媒体、光記憶媒体、電磁記憶媒体、半導体記憶媒体等が含まれてよい。コンピュータ可読記憶媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ−ＲＯＭ）、デジタル多用途ディスク（ＤＶＤ）、ブルーレイ（登録商標）ディスク、メモリスティック、集積回路カード等が含まれてよい。
【００９７】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードのいずれかを含んでよい。
【００９８】
コンピュータ可読命令は、汎用コンピュータ、特殊目的のコンピュータ、若しくは他のプログラム可能なデータ処理装置のプロセッサ、又はプログラマブル回路が、フローチャート又はブロック図で指定されたオペレーションを実行するための手段を生成するために当該コンピュータ可読命令を実行すべく、ローカルに又はローカルエリアネットワーク（ＬＡＮ）、インターネット等のようなワイドエリアネットワーク（ＷＡＮ）を介して、汎用コンピュータ、特殊目的のコンピュータ、若しくは他のプログラム可能なデータ処理装置のプロセッサ、又はプログラマブル回路に提供されてよい。プロセッサの例としては、コンピュータプロセッサ、処理ユニット、マイクロプロセッサ、デジタル信号プロセッサ、コントローラ、マイクロコントローラ等を含む。
【００９９】
上記実施形態では、車両２００を移動中継装置の一例として挙げて説明したが、これに限らない。移動中継装置として、ドローンのような無人航空機等が採用されてもよい。
【０１００】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【０１０１】
特許請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」などを用いて説明したとしても、この順で実施することが必須であることを意味するものではない。
【符号の説明】
【０１０２】
１０  通信システム、２０  ネットワーク、６０、６１、６２、７０、７１、７２  強度、１００  無線基地局、１０２  セル、１１２  測定報告受信部、１１４  命令信号送信部、１１６  報告情報受信部、１１８  選択部、１２０  ＤＣ制御部、１２２  移動速度取得部、２００、２１０、２２０  車両、２０２  セル、３００  無線通信端末、４００  ＥＰＣ、４０２  ＭＭＥ、４０４  ＳＧＷ、４１２  測定報告受信部、４１４  命令信号送信部、４１６  報告情報受信部、４１８  選択部、４２０  ＤＣ制御部、４２２  移動速度取得部、１２００  コンピュータ、１２１０  ホストコントローラ、１２１２  ＣＰＵ、１２１４  ＲＡＭ、１２１６  グラフィックコントローラ、１２１８  ディスプレイデバイス、１２２０  入出力コントローラ、１２２２  通信インタフェース、１２２４  記憶装置、１２２６  ＤＶＤドライブ、１２２７  ＤＶＤ−ＲＯＭ、１２３０  ＲＯＭ、１２４０  入出力チップ
【図１】
2020198597.tif 000006
【図２】
2020198597.tif 000007
【図３】
2020198597.tif 000008
【図４】
2020198597.tif 000009
【図５】
2020198597.tif 000010
【図６】
2020198597.tif 000011
【図７】
2020198597.tif 000012
【図８】
2020198597.tif 000013